(57)【要約】  複数のキャリアに対して伝送方向を適切に設定する。上位レイヤシグナリングによって、スロットフォーマットを示す情報の複数の系列を示す系列情報を受信し、所定キャリアの下り制御チャネルにおいて、モニタリング周期に従って前記複数の系列の１つを指示する指示情報を受信する受信部と、前記指示情報に指示された系列の長さが、前記モニタリング周期内の前記所定キャリア及び上りリンク用キャリアのスロットの数と異なる場合と、前記所定キャリアに設定されたサブキャリア間隔が前記上りリンク用キャリアに設定されたサブキャリア間隔と異なる場合と、の少なくとも１つにおいて、前記系列情報及び前記指示情報に基づいて前記所定キャリア及び上りリンク用キャリアのスロットフォーマットを決定する制御部と、を有する。
2019159238.tif 000002
【特許請求の範囲】
【請求項１】
上位レイヤシグナリングによって、スロットフォーマットを示す情報の複数の系列を示す系列情報を受信し、所定キャリアの下り制御チャネルにおいて、モニタリング周期に従って前記複数の系列の１つを指示する指示情報を受信する受信部と、
前記指示情報に指示された系列の長さが、前記モニタリング周期内の前記所定キャリア及び上りリンク用キャリアのスロットの数と異なる場合と、前記所定キャリアに設定されたサブキャリア間隔が前記上りリンク用キャリアに設定されたサブキャリア間隔と異なる場合と、の少なくとも１つにおいて、前記系列情報及び前記指示情報に基づいて前記所定キャリア及び上りリンク用キャリアのスロットフォーマットを決定する制御部と、を有することを特徴とするユーザ端末。
【請求項２】
前記指示情報に指示された系列の長さが、前記モニタリング周期内の前記所定キャリア及び上りリンク用キャリアのスロットの数よりも少ない場合、前記制御部は、前記モニタリング周期内のスロットのうち前記指示情報によって指示されない特定スロットのスロットフォーマットを、前記特定スロットのスペクトラムタイプと、上位レイヤシグナリングと、前記特定スロットの下り制御情報と、の少なくとも１つに基づいて決定することを特徴とする請求項１に記載のユーザ端末。
【請求項３】
前記指示情報に指示された系列の長さが、前記モニタリング周期内の前記所定キャリア及び上りリンク用キャリアのスロットの数よりも多い場合、前記制御部は、最後に受信された指示情報と直前に受信された指示情報とによって重複して指示されるスロットのスロットフォーマットを、前記最後に受信された指示情報と直前に受信された指示情報との少なくとも１つに基づいて決定することを特徴とする請求項１に記載のユーザ端末。
【請求項４】
前記所定キャリアに設定された第１サブキャリア間隔が、前記上りリンク用キャリアに設定された第２サブキャリア間隔よりも大きい場合、前記制御部は、前記上りリンク用キャリアにおいて前記指示情報を適用する期間を決定することを特徴とする請求項１に記載のユーザ端末。
【請求項５】
前記所定キャリアに設定された第１サブキャリア間隔が、前記上りリンク用キャリアに設定された第２サブキャリア間隔よりも大きい場合、前記モニタリング周期は、前記第２サブキャリア間隔に対する前記第１サブキャリア間隔の比の倍数であることを特徴とする請求項１に記載のユーザ端末。
【請求項６】
上位レイヤシグナリングによって、スロットフォーマットを示す情報の複数の系列を示す系列情報を受信し、所定キャリアの下り制御チャネルにおいて、モニタリング周期に従って前記複数の系列の１つを指示する指示情報を受信する工程と、
前記指示情報に指示された系列の長さが、前記モニタリング周期内の前記所定キャリア及び上りリンク用キャリアのスロットの数と異なる場合と、前記所定キャリアに設定されたサブキャリア間隔が前記上りリンク用キャリアに設定されたサブキャリア間隔と異なる場合と、の少なくとも１つにおいて、前記系列情報及び前記指示情報に基づいて前記所定キャリア及び上りリンク用キャリアのスロットフォーマットを決定する工程と、を有することを特徴とするユーザ端末の無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５以降、などともいう）も検討されている。【０００３】
また、既存のＬＴＥシステム（例えば、ＬＴＥ  Ｒｅｌ．８−１３）では、１ｍｓのサブフレームをスケジューリング単位として、下りリンク（ＤＬ：Downlink）及び／又は上りリンク（ＵＬ：Uplink）の通信が行われる。当該サブフレームは、例えば、通常サイクリックプリフィクス（ＮＣＰ：Normal  Cyclic  Prefix）の場合、サブキャリア間隔１５ｋＨｚの１４シンボルで構成される。当該サブフレームは、伝送時間間隔（ＴＴＩ：Transmission  Time  Interval）等とも呼ばれる。【０００４】
また、既存のＬＴＥシステムでは、時間分割複信（ＴＤＤ：Time  Division  Duplex）及び／又は周波数分割複信（ＦＤＤ：Frequency  Division  Duplex）がサポートされる。ＴＤＤでは、無線フレーム内の各サブフレームの伝送方向（ＵＬ及び／又はＤＬ）を定めたＵＬ／ＤＬ構成（UL/DL  configuration）に基づいて、各サブフレームの伝送方向が準静的（semi-static）に制御される。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（以下、単にＮＲとも記す）では、データチャネル（ＤＬデータチャネル（例えば、ＰＤＳＣＨ：Physical  Downlink  Shared  Channel）及び／又はＵＬデータチャネル（例えば、ＰＵＳＣＨ：Physical  Uplink  Shared  Channel）を含む、単に、データ又は共有チャネル等ともいう）のスケジューリング単位として、既存のＬＴＥシステム（例えば、ＬＴＥ  Ｒｅｌ．８−１３）のサブフレームとは異なる時間単位（time  unit、例えば、スロット及び／又は幾つかのシンボル（ミニスロット、サブスロット）など）を利用することが検討されている。当該時間単位では、シンボル毎の伝送方向（ＵＬ又はＤＬ）を動的に制御することも検討されている。【０００７】
しかしながら、複数のキャリア（スペクトラム、バンド）に対してスロットフォーマットを設定する場合に、スロットフォーマットを適切に決定できなければ通信スループット及び／又は通信品質などが劣化するおそれがある。【０００８】
本発明はかかる点に鑑みてなされたものであり、複数のキャリアに対して伝送方向を適切に決定するユーザ端末及び無線通信方法を提供することを目的の一とする。
【課題を解決するための手段】
【０００９】
本発明の一態様に係るユーザ端末は、上位レイヤシグナリングによって、スロットフォーマットを示す情報の複数の系列を示す系列情報を受信し、所定キャリアの下り制御チャネルにおいて、モニタリング周期に従って前記複数の系列の１つを指示する指示情報を受信する受信部と、前記指示情報に指示された系列の長さが、モニタリング周期内の前記所定キャリア及び上りリンク用キャリアのスロットの数と異なる場合と、前記所定キャリアに設定されたサブキャリア間隔が前記上りリンク用キャリアに設定されたサブキャリア間隔と異なる場合と、の少なくとも１つにおいて、前記系列情報及び前記指示情報に基づいて前記所定キャリア及び上りリンク用キャリアのスロットフォーマットを決定する制御部と、を有することを特徴とする。
【発明の効果】
【００１０】
本発明によれば、複数のキャリアに対して伝送方向を適切に設定できる。
【図面の簡単な説明】
【００１１】
【図１】図１は、スロットフォーマット通知用のＤＣＩフォーマットの一例を示す図である。
【図２】図２Ａ及び図２Ｂは、問題１（ケース１−ａ）の一例を示す図である。
【図３】図３Ａ及び図３Ｂは、問題１（ケース１−ｂ、１−ｃ）の一例を示す図である。
【図４】図４Ａ及び図４Ｂは、問題２（ケース３−ａ）の一例を示す図である。
【図５】図５Ａ及び図５Ｂは、問題２（ケース３−ｂ、３−ｃ）の一例を示す図である。
【図６】図６Ａ及び図６Ｂは、問題３の一例を示す図である。
【図７】図７Ａ及び図７Ｂは、オプション５−１の一例を示す図である。
【図８】図８Ａ及び図８Ｂは、オプション５−１の別の一例を示す図である。
【図９】図９Ａ及び図９Ｂは、オプション５−２の一例を示す図である。
【図１０】ＤＬ参照ＳＣＳ及びＵＬ参照ＳＣＳの組み合わせに対し、サポートされるＳＦＩ（ＧＣ−ＰＤＣＣＨ）のモニタリング周期の一例を示す図である。
【図１１】本実施の形態に係る無線通信システムの概略構成の一例を示す図である。
【図１２】本実施の形態に係る無線基地局の全体構成の一例を示す図である。
【図１３】本実施の形態に係る無線基地局の機能構成の一例を示す図である。
【図１４】本実施の形態に係るユーザ端末の全体構成の一例を示す図である。
【図１５】本実施の形態に係るユーザ端末の機能構成の一例を示す図である。
【図１６】本実施の形態に係る無線基地局及びユーザ端末のハードウェア構成の一例を示す図である。
【発明を実施するための形態】
【００１２】
ＮＲでは、データチャネル（ＤＬデータチャネル（例えば、ＰＤＳＣＨ）及び／又はＵＬデータチャネル（例えば、ＰＵＳＣＨ）を含む、単に、データ又は共有チャネル等ともいう）のスケジューリング単位として、所定の時間単位（例えば、スロット）を利用することが合意されている。
【００１３】
スロットは、ユーザ端末が適用するニューメロロジー（例えば、サブキャリア間隔（Subcarrier  Spacing：ＳＣＳ）及び／又はシンボル長）に基づく時間単位である。１スロットあたりのシンボル数は、サブキャリア間隔に応じて定められてもよい。例えば、サブキャリア間隔が１５ｋＨｚ又は３０ｋＨｚである場合、当該１スロットあたりのシンボル数は、７又は１４シンボルであってもよい。一方、サブキャリア間隔が６０ｋＨｚ以上の場合、１スロットあたりのシンボル数は、１４シンボルであってもよい。なお、１スロットあたりのシンボル数はこれに限られない。
【００１４】
また、ＮＲでは、スロットに含まれるシンボル毎の伝送方向（ＵＬ、ＤＬ及びフレキシブルの少なくとも一つ）を動的に制御することが想定される。フレキシブル（Ｆｌｅｘｉｂｌｅ）は、ＤＬでもＵＬでもないリソースを意味し、Ｕｎｋｎｏｗｎ、又は‘Ｘ’と呼ばれてもよい。例えば、一以上のスロットのフォーマットに関する情報（スロットフォーマット関連情報（ＳＦＩ：Slot  Format  related  Information）等ともいう）が所定周期（モニタリング周期）でＵＥに通知されることが検討されている。
【００１５】
当該ＳＦＩは、下り制御チャネル（例えば、Group  Common（ＧＣ）−ＰＤＣＣＨ）を用いて送信されるスロットフォーマット通知用の下り制御情報（ＤＣＩ）に含まれてもよい。スロットフォーマット通知用ＤＣＩは、データのスケジューリングに利用されるＤＣＩとは別に定義されてもよく、ＤＣＩフォーマット２＿０、ＤＣＩフォーマット２Ａ、又はＤＣＩフォーマット２、ＳＦＩ−ＰＤＣＣＨ、ＳＦＩ−ＤＣＩ等と呼ばれてもよい。
【００１６】
ＵＥは、所定周期毎のスロットにおいてスロットフォーマット通知用ＤＣＩのモニタリングを行ってもよい。スロットフォーマット通知用ＤＣＩのモニタリング周期は、基地局からＵＥに上位レイヤシグナリング等であらかじめ通知してしてもよい。
【００１７】
ＵＥが所定スロット（ｍＴＳＦＩ）でスロットフォーマット通知用ＤＣＩを検出した場合、少なくとも当該ＤＣＩに基づいてサービングセルにおける各スロット｛ｍＴＳＦＩ、ｍＴＳＦＩ＋１、．．．、（ｍ＋１）ＴＳＦＩ−１｝のスロットフォーマットを判断する（図１参照）。ＴＳＦＩは、ＳＦＩのモニタリング周期に関するパラメータ（SFI-monitoring-periodicity）に相当し、上位レイヤシグナリングでＵＥに設定してもよい。また、ｍは、スロットフォーマット通知用ＤＣＩのモニタリング時間インデックス（たとえば無線フレーム内でスロットフォーマット通知用ＤＣＩをモニタリングするスロット番号）に相当する。
【００１８】
ＵＥは、基地局から設定される周期に基づいて、スロットフォーマット通知用ＤＣＩの受信処理（例えば、モニタリング周期等）を制御する。図１では、ＳＦＩモニタリング周期が５スロット（例えば、５ｍｓ）である場合を示している。この場合、ＵＥは、モニタリング周期に対応するスロット（例えば、スロット＃１）で検出するスロットフォーマット通知用ＤＣＩに基づいて各スロット（ここでは、スロット＃１−＃５）のスロットフォーマットを判断する。
【００１９】
ＵＥは、上位レイヤで通知されるパラメータに従ってスロットフォーマット通知用ＤＣＩのモニタリングを行う。前記パラメータとしては、当該ＤＣＩのＣＲＣをマスキングしているＲＮＴＩ（例えば、ＳＦＩ−ＲＮＴＩ）、当該ＤＣＩのペイロード（すなわちＣＲＣ除く情報ビット数、またはＣＲＣを含む情報ビット数）、ブラインド検出を行うＰＤＣＣＨアグリゲーションレベル、ＰＤＣＣＨアグリゲーションレベルにおけるブラインド検出候補数、当該セル・キャリアに対するスロットフォーマット通知用ＤＣＩをモニタリングするセル（例えば、cell-to-SFI）、などを含めることができる。これらのパラメータに従ってスロットフォーマット通知用ＤＣＩをモニタリングし、それが検出された場合には、当該スロットフォーマット通知用のＤＣＩに含まれる特定のフィールドで指定される値に基づいて各スロットのフォーマットを判断してもよい。
【００２０】
また、ＰＤＣＣＨのモニタリング周期（monitoring  periodicity）は、１、２、４、５、８、１０、１６、２０スロットのいずれかに設定されてもよい。設定可能なモニタリング周期（スロット数）候補値は、ＳＣＳによって異なってもよいし、すべてのＳＣＳで共通であってもよい。ＳＦＩを運ぶＰＤＣＣＨ（ＧＣ−ＰＤＣＣＨ）のモニタリング周期と、その他のＰＤＣＣＨのモニタリング周期と、が共通であってもよい。
【００２１】
ＵＥは、複数スロットにわたるモニタリング周期の間のスロットフォーマットを決定するために、１回のモニタリング機会（monitoring  occasion）において受信されるＳＦＩによって、複数スロットのスロットフォーマットを認識してもよい。そのために、ＵＥ固有のＳＦＩテーブル（スロットフォーマット構成セット、ＳＦＩ構成セット）が上位レイヤシグナリング（例えば、ＲＲＣシグナリング）によってＵＥに設定されてもよい。
【００２２】
ＳＦＩテーブルは、ＳＦＩの各値に関連付けられたエントリを含む。各エントリは、スロットフォーマットの系列であってもよい。スロットフォーマットは、スロットフォーマットインデックスによって示されてもよい。各スロットフォーマットインデックスに対応するスロットフォーマットが仕様によって規定されてもよい。スロットフォーマットは、１つのスロット内の各シンボルの伝送方向（ＵＬ、ＤＬ及びフレキシブルの１つ）を示していてもよい。
【００２３】
エントリの系列長が１である場合、当該エントリは単一スロット用のエントリである。エントリの系列長が１よりも大きい場合、当該エントリは複数スロット用のエントリである。複数スロット用のエントリに含まれる複数のスロットフォーマットは、複数のスロットにそれぞれ対応する。複数スロット用のスロットフォーマットにおいて全てのスロットのスロットフォーマットが同一であってもよい。ＳＦＩテーブルは、互いに異なる長さを有する複数のエントリを含んでもよい。例えば、ＳＦＩテーブルは、単一スロット用のエントリと、複数スロット用のエントリと、を含んでもよい。
【００２４】
ＧＣ−ＰＤＣＣＨによって複数のＵＥに対して同じＳＦＩが設定される場合に、ＵＥによって異なるＳＦＩテーブルが設定され、ＳＦＩに対し、ＵＥによって異なる解釈が行われてもよい。
【００２５】
ＳＦＩは、ＴＤＤ（Time  Division  Duplex）だけでなく、ＦＤＤ（Frequency  Division  Duplex）に適用されてもよい。ＦＤＤは、ＦＤＤ  ＤＬバンド内キャリアとＦＤＤ  ＵＬバンド内のＵＬキャリアとのペア（paired  spectrum）と呼ばれてもよい。ＴＤＤは、ＴＤＤバンド内のキャリア（unpaired  spectrum）と呼ばれてもよい。
【００２６】
ＮＲでは、サポートする帯域幅が異なる複数のユーザ端末が混在することが想定されるため、キャリア内に一以上の部分的な周波数帯域を設定することが合意されている。当該キャリア内の各周波数帯域（例えば、５０ＭＨｚ又は２００ＭＨｚなど）は、部分帯域又は帯域幅部分（ＢＷＰ：Bandwidth  part）等と呼ばれる。ＦＤＤの場合、ＤＬキャリアにおけるＤＬ  ＢＷＰと、ＵＬキャリアにおけるＵＬ  ＢＷＰと、がＵＥに設定されてもよい。
【００２７】
ＦＤＤがＳＦＩをサポートするために、ＳＦＩテーブル及びＳＦＩを用いて複数スロットのスロットフォーマットを設定する複数スロットフォーマット設定方法が用いられてもよい。
【００２８】
ＤＬキャリア（又はＤＬ  ＢＷＰ）に対する参照（reference）ＳＣＳ（ＤＬ参照ＳＣＳ）と、ＵＬキャリア（又はＵＬ  ＢＷＰ）に対する参照ＳＣＳ（ＵＬ参照ＳＣＳ）と、が上位レイヤシグナリングによってＵＥに設定されてもよい。ＤＬ参照ＳＣＳはＵＬ参照ＳＣＳと異なる場合がある。ＤＬキャリアにおいてＤＬ参照ＳＣＳに基づくスロットがＤＬ参照スロットと呼ばれてもよい。ＵＬキャリアにおいてＵＬ参照ＳＣＳに基づくスロットがＵＬ参照スロットと呼ばれてもよい。
【００２９】
複数スロットフォーマット設定方法において、ＦＤＤの１つのスロットに対するＳＦＩは、ＵＥ固有のＳＦＩテーブル内の１つのエントリ内の複数の値（スロットフォーマットインデックス）をＵＥに設定する。
【００３０】
ＤＬ参照ＳＣＳ及びＵＬ参照ＳＣＳが等しい場合（ＤＬスロット長及びＵＬスロット長が等しい場合）、ＳＦＩによって指定されたエントリ内の値の各ペアに対し、偶数位置の（エントリ内インデックスが偶数である）値（ｘ０、ｘ２、…）がＤＬ  ＢＷＰに設定され（適用され、又は割り当てられ）、奇数位置の（エントリ内インデックスが奇数である）値（ｘ１、ｘ３、…）がＵＬ  ＢＷＰに設定され（適用され、又は割り当てられ）てもよい。
【００３１】
ＤＬ参照ＳＣＳがＵＬ参照ＳＣＳよりも高い場合（ＤＬスロット長がＵＬスロット長よりも短い場合）、ＵＬ参照ＳＣＳに対するＤＬ参照ＳＣＳの比（ＤＬ参照ＳＣＳ／ＵＬ参照ＳＣＳ）をＫ（Ｋ＞１）とし、ＳＦＩによって指定される１つのエントリが、Ｋ個のＤＬ参照スロット及び１個のＵＬ参照スロットのためのＫ＋１個の値を含んでもよい。当該エントリ内のＫ＋１個の値のうち、最初のＫ個の値がＫ個のＤＬ参照スロットに設定され、最後の１個の値が１個のＵＬ参照スロットに設定されてもよい。
【００３２】
ＤＬ参照ＳＣＳがＵＬ参照ＳＣＳよりも低い場合（ＤＬスロット長がＵＬスロット長よりも長い場合）、ＤＬ参照ＳＣＳに対するＵＬ参照ＳＣＳの比（ＵＬ参照ＳＣＳ／ＤＬ参照ＳＣＳ）をＫ（Ｋ＞１）とし、ＳＦＩによって指定された１つのエントリが、１個のＤＬ参照スロット及びＫ個のＵＬ参照スロットのためのＫ＋１個の値を含んでもよい。当該エントリ内のＫ＋１個の値のうち、最初の１個の値が１個のＤＬ参照スロットに設定され、最後のＫ個の値がＫ個のＵＬ参照スロットに設定されてもよい。
【００３３】
なお、エントリ内のスロットフォーマットの設定順序は、ＤＬ参照スロットを優先する代わりに、ＵＬ参照スロットを優先してもよい。
【００３４】
ＳＵＬ（Supplemental  UpLink）キャリアを用いるＴＤＤに対しても、ＦＤＤと同様の複数スロットフォーマット設定方法が用いられてもよい。
【００３５】
非ＳＵＬキャリア（又は非ＳＵＬ  ＢＷＰ）に対する参照ＳＣＳ（非ＳＵＬ参照ＳＣＳ）と、ＳＵＬキャリア（又はＳＵＬ  ＢＷＰ）に対する参照ＳＣＳ（ＵＬ参照ＳＣＳ）と、が上位レイヤシグナリングによってＵＥに設定されてもよい。非ＳＵＬ参照ＳＣＳはＳＵＬ参照ＳＣＳと異なる場合がある。非ＳＵＬ参照ＳＣＳに基づくスロットが非ＳＵＬ参照スロットと呼ばれてもよい。ＳＵＬ参照ＳＣＳに基づくスロットがＳＵＬ参照スロットと呼ばれてもよい。
【００３６】
ＳＵＬ参照ＳＣＳに対する非ＳＵＬ参照ＳＣＳの比（非ＳＵＬ参照ＳＣＳ／ＳＵＬ参照ＳＣＳ）をＫ（Ｋ＞＝１）とし、ＳＦＩによって指定される１つのエントリが、Ｋ個の非ＳＵＬ参照スロット及び１個のＳＵＬ参照スロットのためのＫ＋１個の値を含んでもよい。当該エントリ内のＫ＋１個の値のうち、最初のＫ個の値がＫ個の非ＳＵＬ参照スロットに設定され、最後の１個の値が１個のＳＵＬ参照スロットに設定されてもよい。
【００３７】
なお、エントリ内のスロットフォーマットの設定順序は、非ＳＵＬ参照スロットを優先する代わりに、ＳＵＬ参照スロットを優先してもよい。
【００３８】
ＤＬキャリア（ＤＬ参照スロット）に対し、ＤＬシンボルのみを含むスロットフォーマットが設定されてもよいし、ＵＬシンボルを含まない（ＤＬシンボル及びunknown（フレキシブル）シンボルを含む）スロットフォーマットが設定されてもよい。ＵＬキャリア（ＵＬ参照スロット）に対し、ＵＬシンボルのみを含むスロットフォーマットが設定されてもよいし、ＤＬシンボルを含まない（ＵＬシンボル及びunknown（フレキシブル）シンボルを含む）スロットフォーマットが設定されてもよい。
【００３９】
ＳＵＬキャリア（ＳＵＬ参照スロット）に対し、ＵＬシンボルのみを含むスロットフォーマットが設定されてもよいし、ＤＬシンボルを含まない（ＵＬシンボル及びunknown（フレキシブル）シンボルを含む）スロットフォーマットが設定されてもよい。
【００４０】
ＤＬキャリアに対し、unknown（フレキシブル）シンボルを設定することによって、ＵＥにおける受信（例えば、ＰＤＣＣＨのモニタリング）を停止させることができる。ＵＬキャリア又はＳＵＬキャリアに対し、unknown（フレキシブル）シンボルを設定することによって、ＵＥにおける送信を停止させることができる。
【００４１】
ＦＤＤ及び／又はＴＤＤのスロットフォーマットを指示するためにＳＦＩテーブルが用いられる場合、次のケースを考慮する必要がある。ここで、ＳＦＩによって指示される複数のキャリアを対象キャリアと呼び、ＳＦＩの１つのモニタリング周期内の全ての対象キャリアの全てのスロットを対象スロットと呼ぶ。ＦＤＤにおいて、対象スロットは、ＳＦＩの１つのモニタリング周期内の全てのＤＬ参照スロット及び全てのＵＬ参照スロットを含む。ＴＤＤにおいて、対象スロットは、対象スロットは、ＳＦＩの１つのモニタリング周期内の全ての非ＳＵＬ参照スロット及び全てのＳＵＬ参照スロットを含む。
【００４２】
・ケース１：ＳＦＩテーブルのエントリの長さが、ＳＦＩのモニタリング周期内の対象スロット数よりも小さい。すなわち、対象スロット数に対し、エントリ長が足りない（不足）。
・ケース２：ＳＦＩテーブルのエントリの長さが、ＳＦＩのモニタリング周期内の対象スロット数に等しい。
・ケース３：ＳＦＩテーブルのエントリの長さが、ＳＦＩのモニタリング周期内の対象スロット数よりも大きい。すなわち、対象スロット数に対し、エントリ長が余る（過多）。
【００４３】
ケース１及びケース３に対し、次の問題１及び問題２がそれぞれ考えられる。
【００４４】
＜問題１＞
対象スロット数に対し、エントリ内の値が足りないため、ＳＦＩによって指示されないスロットのスロットフォーマットをどのように決定するかが問題となる。具体的には、次のケースを考慮する必要がある。
【００４５】
・ケース１−ａ：ＤＬ参照ＳＣＳ及びＵＬ参照ＳＣＳが同じである。又は、非ＳＵＬ参照ＳＣＳ及びＳＵＬ参照ＳＣＳが同じである。
・ケース１−ｂ：ＤＬ参照ＳＣＳがＵＬ参照ＳＣＳよりも高い。又は、非ＳＵＬ参照ＳＣＳがＳＵＬ参照ＳＣＳよりも高い。
・ケース１−ｃ：ＤＬ参照ＳＣＳがＵＬ参照ＳＣＳよりも低い。又は、非ＳＵＬ参照ＳＣＳがＳＵＬ参照ＳＣＳよりも低い。
【００４６】
図２Ａに示すように、ＳＦＩテーブルが上位レイヤによって設定されるとする。このＳＦＩテーブルにおけるエントリ＃０は、系列長１０を有する系列ｘ０、ｘ１、…、ｘ９を示す。
【００４７】
図２Ｂに示すように、ケース１−ａにおいて、モニタリング周期がＤＬ参照ＳＣＳに基づく１０スロット（ＤＬ参照スロット）に設定されることによって、モニタリング機会がＤＬ参照スロット＃０の先頭（開始時）になり、ＵＥがＤＬ参照スロット＃０の先頭において０を示すＳＦＩを受信したとする。複数スロットフォーマット設定方法に従うと、エントリ＃０の値が不足するため、エントリ内の値が設定されないスロット（ＤＬ参照スロット＃５−＃９及びＵＬ参照スロット＃５−＃９）のスロットフォーマットが不明となる。
【００４８】
以後、複数スロットフォーマット設定方法において、エントリ内の値の不足によって、エントリ内の値が設定されないスロット（図２Ｂ、図３Ａ、図３Ｂにおいて「？」と記されたスロット）を、未指示スロットと呼ぶ。
【００４９】
図３Ａに示すように、ケース１−ｂにおいて、ＤＬ参照ＳＣＳがＵＬ参照ＳＣＳの２倍に設定され、モニタリング周期がＤＬ参照ＳＣＳに基づく１０スロットに設定されることによって、モニタリング機会がＤＬ参照スロット＃０の先頭になり、ＵＥがＤＬ参照スロット＃０の先頭において０を示すＳＦＩを受信したとする。複数スロットフォーマット設定方法に従うと、エントリ＃０の値が不足するため、未指示スロット（ＤＬ参照スロット＃７−＃９及びＵＬ参照スロット＃３−＃４）のスロットフォーマットが不明となる。
【００５０】
図３Ｂに示すように、ケース１−ｃにおいて、ＵＬ参照ＳＣＳがＤＬ参照ＳＣＳの２倍に設定され、モニタリング周期がＤＬ参照ＳＣＳに基づく５スロットに設定されることによって、モニタリング機会がＤＬ参照スロット＃０の先頭になり、ＵＥがＤＬ参照スロット＃０の先頭において０を示すＳＦＩを受信したとする。複数スロットフォーマット設定方法に従うと、エントリ＃０の値が不足するため、未指示スロット（ＤＬ参照スロット＃４及びＵＬ参照スロット＃６−＃９）のスロットフォーマットが不明となる。
【００５１】
＜問題２＞
対象スロット数に対し、エントリ内の値が余るため、複数のＳＦＩによって重複して指示されるスロットのスロットフォーマットをどのように決定するかが問題となる。具体的には、次のケースを考慮する必要がある。
【００５２】
・ケース３−ａ：ＤＬ参照ＳＣＳ及びＵＬ参照ＳＣＳが同じである。又は、非ＳＵＬ参照ＳＣＳ及びＳＵＬ参照ＳＣＳが同じである。
・ケース３−ｂ：ＤＬ参照ＳＣＳがＵＬ参照ＳＣＳよりも高い。又は、非ＳＵＬ参照ＳＣＳがＳＵＬ参照ＳＣＳよりも高い。
・ケース３−ｃ：ＤＬ参照ＳＣＳがＵＬ参照ＳＣＳよりも低い。又は、非ＳＵＬ参照ＳＣＳがＳＵＬ参照ＳＣＳよりも低い。
【００５３】
図４Ａに示すように、ＳＦＩテーブルが上位レイヤによって設定されるとする。このＳＦＩテーブルにおけるエントリ＃０は、系列長１０を有する系列ｘ０、ｘ１、…、ｘ９を示す。このＳＦＩテーブルにおけるエントリ＃１は、系列長１０を有する系列ｙ０、ｙ１、…、ｙ９を示す。
【００５４】
図４Ｂに示すように、ケース３−ａにおいて、モニタリング周期がＤＬ参照ＳＣＳに基づく４スロットに設定されることによって、モニタリング機会がＤＬ参照スロット＃０、＃４の先頭になり、ＵＥがＤＬ参照スロット＃０の先頭において０を示すＳＦＩを受信し、ＤＬ参照スロット＃４の先頭において１を示すＳＦＩを受信したとする。複数スロットフォーマット設定方法に従うと、最初のＳＦＩ（エントリ＃０）によって設定される値と次のＳＦＩ（エントリ＃１）によって設定される値とが衝突する（重複して設定される）スロット（ＤＬ参照スロット＃４及びＵＬ参照スロット＃５）のスロットフォーマットが不明となる。
【００５５】
以後、複数スロットフォーマット設定方法において、複数のＳＦＩに基づく値が重複して設定されるスロットを、重複指示スロットと呼ぶ。
【００５６】
図５Ａに示すように、ケース３−ｂにおいて、ＤＬ参照ＳＣＳがＵＬ参照ＳＣＳの２倍に設定され、モニタリング周期がＤＬ参照ＳＣＳに基づく４スロットに設定されることによって、モニタリング機会がＤＬ参照スロット＃０、＃４の先頭になり、ＵＥがＤＬ参照スロット＃０の先頭において０を示すＳＦＩを受信し、ＤＬ参照スロット＃４の先頭において１を示すＳＦＩを受信したとする。複数スロットフォーマット設定方法に従うと、重複指示スロット（ＤＬ参照スロット＃４、＃５、＃６及びＵＬ参照スロット＃２）のスロットフォーマットが不明となる。
【００５７】
図５Ｂに示すように、ケース３−ｃにおいて、ＵＬ参照ＳＣＳがＤＬ参照ＳＣＳの２倍に設定され、モニタリング周期がＤＬ参照ＳＣＳに基づく２スロットに設定されることによって、モニタリング機会がＤＬ参照スロット＃０、＃２の先頭になり、ＵＥがＤＬ参照スロット＃０の先頭において０を示すＳＦＩを受信し、ＤＬ参照スロット＃２の先頭において１を示すＳＦＩを受信したとする。複数スロットフォーマット設定方法に従うと、重複指示スロット（ＤＬ参照スロット＃２、＃３及びＵＬ参照スロット＃４、＃５）のスロットフォーマットが不明となる。
【００５８】
また、ＤＬ参照ＳＣＳがＵＬ参照ＳＣＳよりも高い場合において、次の問題３が考えられる。
【００５９】
＜問題３＞
ＤＬ参照ＳＣＳがＵＬ参照ＳＣＳよりも高い場合（ＤＬ参照スロット長がＵＬ参照スロット長よりも短い場合）、ＳＦＩ指示（ＳＦＩのモニタリング機会）が、ＵＬ参照スロットの途中に発生する可能性がある。この場合、ＵＥがＳＦＩ指示に基づいてＵＬ参照スロットのスロットフォーマットをどのように決定するかが問題となる。
【００６０】
例えば、図６Ａに示すように、ＤＬ参照ＳＣＳがＵＬ参照ＳＣＳの２倍に設定され（ＤＬ参照スロット長がＵＬ参照スロット長の１／２倍に設定され）、ＳＦＩのモニタリング周期が２スロットに設定され、ＳＦＩのモニタリングオフセットが１スロットに設定されるとする。ＳＦＩのモニタリング機会は、ＤＬ参照スロット＃１の先頭であるが、ＵＬ参照スロット＃０の途中であるため、ＵＥは、ＤＬ参照スロット＃１において受信したＳＦＩを、どのＵＬ参照スロットに適用するかが不明である。
【００６１】
例えば、図６Ｂに示すように、ＤＬ参照ＳＣＳがＵＬ参照ＳＣＳの２倍に設定され（ＤＬ参照スロット長がＵＬ参照スロット長の１／２倍に設定され）、ＳＦＩのモニタリング周期が５スロットに設定されるとする。ＳＦＩのモニタリング機会は、ＤＬ参照スロット＃５の先頭であるが、ＵＬ参照スロット＃２の途中であるため、ＵＥは、ＤＬ参照スロット＃５において受信したＳＦＩを、どのＵＬ参照スロットに適用するかが不明である。
【００６２】
このように、ＦＤＤ及び／又はＴＤＤにおいて、複数スロットフォーマット設定方法を用いてスロットフォーマットを適切に設定できないおそれがある。そこで、本発明者らは、複数のキャリアにおける複数のスロットにわたってスロットフォーマットを適切に設定する方法を検討し、本発明に至った。
【００６３】
以下、本発明の一実施の形態について図面を参照して詳細に説明する。以下に示す態様は単独で適用してもよいし、組み合わせて適用してもよい。
【００６４】
また、以下の説明では、主にＦＤＤのＤＬ参照スロット及びＵＬ参照スロットに対する複数スロットフォーマット設定方法について説明するが、この複数スロットフォーマット設定方法は、ＴＤＤの非ＳＵＬ参照スロット及びＳＵＬ参照スロットに対する複数スロットフォーマット設定方法にも適用されてもよい。言い換えれば、複数スロットフォーマット設定方法を用いて、ＴＤＤの非ＳＵＬ参照スロットは、ＦＤＤのＤＬ参照スロットと同様に設定され、ＴＤＤのＳＵＬ参照スロットは、ＦＤＤのＵＬ参照スロットと同様に設定されてもよい。
【００６５】
ＦＤＤ  ＤＬキャリア又はＴＤＤ  非ＳＵＬキャリアは、所定キャリアと呼ばれてもよい。ＦＤＤ  ＵＬキャリア又はＴＤＤ  ＳＵＬキャリアは、上りリンク用キャリアと呼ばれてもよい。
【００６６】
（第１の態様）
第１の態様では、ケース１におけるスロットフォーマット決定の適切なＵＥ動作について説明する。
【００６７】
ＵＥ動作は、次のオプション１−１、１−２、１−３の少なくとも１つに従ってもよい。
【００６８】
＜オプション１−１＞
ＵＥは、スペクトラムタイプ（spectra  type、バンド、周波数）に基づいて、未指示スロットのスロットフォーマットを決定する。
【００６９】
スペクトラムタイプは、予め規定された複数の周波数帯域（周波数バンド）の１つのインデックス（番号）によって示されてもよい。スペクトラムタイプは、ＦＤＤ  ＤＬ、ＦＤＤ  ＵＬ、ＴＤＤ、ＴＤＤ  非ＳＵＬ、ＴＤＤ  ＳＵＬの１つを示してもよい。ユーザ端末は、前記スペクトラムタイプを、報知情報（ブロードキャスト情報）、システム情報、及び／又は周波数帯域等によって認識する周波数バンド番号、下りリンクと上りリンクの周波数相対関係、及び／又はＲＲＣシグナリング等によって認識することができる。
【００７０】
スペクトラムタイプがＦＤＤ  ＤＬである場合、ＵＥは、ＳＦＩによって指示されないスロットをＤＬ用スロット（ＤＬスロット）と想定する。ＤＬスロットに含まれる全てのシンボルは、ＤＬ（ＤＬシンボル）であってもよい。
【００７１】
スペクトラムタイプがＦＤＤ  ＵＬである場合、ＵＥは、ＳＦＩによって指示されないスロットをＵＬ用スロット（ＵＬスロット）と想定する。ＵＬスロットに含まれる全てのシンボルは、ＵＬ（ＵＬシンボル）であってもよい。
【００７２】
例えば、図２Ｂ、図３Ａ、図３Ｂにおいて、ＵＥは、ＦＤＤ  ＤＬにおける未指定スロット内の全てのシンボルをＤＬに設定してもよいし、ＵＥは、ＦＤＤ  ＵＬにおける未指定スロット内の全てのシンボルをＵＬと想定してもよい。
【００７３】
＜オプション１−２＞
ＵＥ動作は、ＧＣ−ＰＤＣＣＨが設定されない（ＳＦＩが通知されない）場合のＵＥ動作と同じである。
【００７４】
このＵＥ動作において、ＵＥは、上位レイヤシグナリングによる設定、又はＵＥ固有ＤＣＩによる指示に基づいて、未指示スロットのスロットフォーマットを決定してもよい。
【００７５】
ＦＤＤ  ＤＬ及びＦＤＤ  ＵＬの両方に対し、ＵＥは、上位レイヤシグナリングによる設定、又は未指示スロットにおけるＵＥ固有ＤＣＩによる指示を受信した場合、未指示スロットのスロット及び／又はその中のシンボルの伝送方向が上位レイヤシグナリング設定又はＵＥ固有ＤＣＩに指示された伝送方向と同じであると想定してもよい。そうでない場合、ＵＥは、未指示スロットの伝送方向がunknown（dynamic  unknown又はフレキシブル）であると想定してもよい。unknownスロットに含まれる全てのシンボルは、unknown（フレキシブル）であってもよい。ＵＥは、unknownのスロット及び／又はシンボルにおいて送受信を行わなくてもよい。
【００７６】
例えば、図２Ｂ、図３Ａ、図３Ｂにおいて、ＵＥは、オプション１−２を用いて未指定スロットのスロットフォーマットを決定できる。
【００７７】
＜オプション１−３＞
ＵＥ動作は、ＧＣ−ＰＤＣＣＨ（ＳＦＩ）が検出されない場合のＵＥ動作と同じである。
【００７８】
このＵＥ動作において、ＵＥは、上位レイヤシグナリングによる設定、又はＵＥ固有ＤＣＩによる指示に基づいて、未指示スロットのスロットフォーマットを決定してもよい。
【００７９】
ＦＤＤ  ＤＬキャリアに対し、ＵＥは、上位レイヤシグナリングによる設定、又は未指示スロットにおけるＵＥ固有ＤＣＩによる指示を受信した場合、未指示スロットのスロット及び／又はその中のシンボルの伝送方向が上位レイヤシグナリング設定又はＵＥ固有ＤＣＩに指示された伝送方向と同じであると想定してもよい。そうでない場合、ＵＥは、未指示スロットの伝送方向がunknown（dynamic  unknown又はフレキシブル）であると想定してもよい。unknownスロットに含まれる全てのシンボルは、unknown（フレキシブル）であってもよい。
【００８０】
ＦＤＤ  ＵＬに対し、未指示スロットの伝送方向がunknown（dynamic  unknown又はフレキシブル）であると想定してもよい。
【００８１】
ＵＥは、unknownのスロット及び／又はシンボルにおいて送受信を行わなくてもよい。
【００８２】
例えば、図２Ｂ、図３Ａ、図３Ｂにおいて、ＵＥは、オプション１−３を用いて未指定スロットのスロットフォーマットを決定できる。
【００８３】
なお、オプション１−２のＵＥ動作とオプション１−３のＵＥ動作が同じであってもよい。
【００８４】
なお、ＵＥは、ＴＤＤ  非ＳＵＬ参照スロットにおいて受信するＳＦＩに基づいてＴＤＤ  ＳＵＬ参照スロットのスロットフォーマットを決定する場合にも、第１の態様を適用することができる。
【００８５】
第１の態様によれば、ケース１においても、ＵＥ及びネットワークは、未指示スロットのスロットフォーマットを適切に決定することができ、問題１を防ぐことができる。また、ＵＥ及びネットワークがスロットフォーマットの認識を合わせることによって、性能劣化を防ぐことができる。
【００８６】
（第２の態様）
第２の態様では、ケース１におけるエラーケースについて説明する。
【００８７】
ＵＥは、ＳＦＩテーブル内の各エントリの長さが、ＳＦＩのモニタリング周期内の対象スロットの数よりも小さくなる設定を、受信しないと想定してもよい。また、ＵＥは、ＳＦＩによって指示されたエントリの長さが、ＳＦＩのモニタリング周期内の対象スロットの数よりも小さくなる設定を、受信しないと想定してもよい。
【００８８】
ネットワークは、ＳＦＩテーブル内の各エントリの長さが、ＳＦＩのモニタリング周期内の対象スロットの数以上であること、を条件として、ＳＦＩテーブルをＵＥに設定してもよい。ネットワークは、ＳＦＩによって指示されたエントリの長さが、ＳＦＩのモニタリング周期内の対象スロットの数以上であること、を条件として、ＳＦＩをＵＥに設定してもよい。
【００８９】
このような設定を受信した場合のＵＥ動作は、ＵＥの実装（UE  implementation）に任せてもよい。すなわち、ＳＦＩテーブル内の各エントリの長さがＳＦＩのモニタリング周期内の対象スロットの数よりも小さくなる設定や、ＳＦＩによって指示されたエントリの長さがＳＦＩのモニタリング周期内の対象スロットの数よりも小さくなる設定を受信した場合のＵＥの動作は、仕様上規定しないものとしてもよい。
【００９０】
なお、ＵＥは、ＴＤＤ  非ＳＵＬ参照スロットにおいて受信するＳＦＩに基づいてＴＤＤ  ＳＵＬ参照スロットのスロットフォーマットを決定する場合にも、第２の態様を適用することができる。
【００９１】
第２の態様によれば、ケース１において、ネットワークが、条件に基づいてＳＦＩテーブル及び／又はＳＦＩをＵＥに設定することによって、問題１を防ぐことができる。ＵＥ及びネットワークがスロットフォーマットの認識を合わせることによって、性能劣化を防ぐことができる。
【００９２】
（第３の態様）
第３の態様では、ケース３におけるスロットフォーマット決定の適切なＵＥ動作について説明する。
【００９３】
ＵＥ動作は、次のオプション３−１、３−２の少なくとも１つに従ってもよい。
【００９４】
＜オプション３−１＞
ＵＥは、最新のＳＦＩに基づいて、重複指示スロットのスロットフォーマットを決定する。ここで最新のＳＦＩとは、１つの重複指示スロットを設定する２つのＳＦＩのうち、時間的に後に受信するＳＦＩのことを指す。
【００９５】
例えば、図４Ｂの場合、ＵＥは、重複指示スロットであるＤＬ参照スロット＃４、ＵＬ参照スロット＃５のスロットフォーマットを、ｙ０、ｙ１とそれぞれ設定してもよい。
【００９６】
例えば、図５Ａの場合、ＵＥは、重複指示スロットであるＤＬ参照スロット＃４、＃５、ＵＬ参照スロット＃２、ＤＬ参照スロット＃６のスロットフォーマットを、ｙ０、ｙ１、ｙ２、ｙ３とそれぞれ設定してもよい。
【００９７】
例えば、図５Ｂの場合、ＵＥは、重複指示スロットであるＤＬ参照スロット＃２、ＵＬ参照スロット＃４、＃５、ＤＬ参照スロット＃３のスロットフォーマットを、ｙ０、ｙ１、ｙ２、ｙ３とそれぞれ設定してもよい。
【００９８】
＜オプション３−２＞
最新のＳＦＩとその直前のＳＦＩとが、重複指示スロットのスロットフォーマットを示す場合、最新のＳＦＩにおける重複指示スロットのスロットフォーマットは、常に直前のＳＦＩにおける重複指示スロットのスロットフォーマットの指示に合わせられる。
【００９９】
ＵＥが最新のＳＦＩを受信するか否かは、ＵＥの実装（UE  implementation）に任せられてもよい。
【０１００】
例えば、図４Ｂの場合、ＵＥは、重複指示スロットであるＤＬ参照スロット＃４、ＵＬ参照スロット＃５のスロットフォーマットを、ｘ８、ｘ９とそれぞれ設定してもよい。
【０１０１】
例えば、図５Ａの場合、ＵＥは、重複指示スロットであるＤＬ参照スロット＃４、＃５、ＵＬ参照スロット＃２、ＤＬ参照スロット＃６のスロットフォーマットを、ｘ６、ｘ７、ｘ８、ｘ９とそれぞれ設定してもよい。
【０１０２】
例えば、図５Ｂの場合、ＵＥは、重複指示スロットであるＤＬ参照スロット＃２、ＵＬ参照スロット＃４、＃５、ＤＬ参照スロット＃３のスロットフォーマットを、ｘ６、ｘ７、ｘ８、ｘ９とそれぞれ設定してもよい。
【０１０３】
なお、ＵＥは、ＴＤＤ  非ＳＵＬ参照スロットにおいて受信するＳＦＩに基づいてＴＤＤ  ＳＵＬ参照スロットのスロットフォーマットを決定する場合にも、第３の態様を適用することができる。
【０１０４】
第３の態様によれば、ケース３においても、ＵＥ及びネットワークは、重複指示スロットのスロットフォーマットを適切に決定することができ、問題２を防ぐことができる。また、ＵＥ及びネットワークがスロットフォーマットの認識を合わせることによって、性能劣化を防ぐことができる。
【０１０５】
（第４の態様）
第４の態様では、ケース３におけるエラーケースについて説明する。
【０１０６】
ＵＥは、ＳＦＩテーブル内の各エントリの長さが、ＳＦＩのモニタリング周期内の対象スロットの数よりも大きくなる設定を、受信しないと想定してもよい。また、ＵＥは、ＳＦＩによって指示されたエントリの長さが、ＳＦＩのモニタリング周期内の対象スロットの数よりも大きくなる設定を、受信しないと想定してもよい。
【０１０７】
ネットワークは、ＳＦＩテーブル内の各エントリの長さが、ＳＦＩのモニタリング周期内の対象スロットの数以下であること、を条件として、ＳＦＩテーブルをＵＥに設定してもよい。ネットワークは、ＳＦＩによって指示されたエントリの長さが、ＳＦＩのモニタリング周期内の対象スロットの数以下であること、を条件として、ＳＦＩをＵＥに設定してもよい。
【０１０８】
このような設定を受信した場合のＵＥ動作は、ＵＥの実装（UE  implementation）に任せてもよい。
【０１０９】
なお、ＵＥは、ＴＤＤ  非ＳＵＬ参照スロットにおいて受信するＳＦＩに基づいてＴＤＤ  ＳＵＬ参照スロットのスロットフォーマットを決定する場合にも、第４の態様を適用することができる。
【０１１０】
第４の態様によれば、ケース３において、ネットワークが、条件に基づいてＳＦＩテーブル及び／又はＳＦＩをＵＥに設定することによって、問題２を防ぐことができる。ＵＥ及びネットワークがスロットフォーマットの認識を合わせることによって、性能劣化を防ぐことができる。
【０１１１】
（第５の態様）
第５の態様では、問題３に対するＵＬ参照スロットのスロットフォーマットの決定について説明する。
【０１１２】
ＵＥは、次のオプション５−１、５−２の少なくとも１つを用いてＵＬ参照スロットのスロットフォーマットを決定してもよい。
【０１１３】
＜オプション５−１＞
ＵＥは、参照ニューメロロジー（参照ＳＣＳ）に基づいて導出される期間（時間区間）に対するスロットフォーマットを決定する。
【０１１４】
例えば、図７Ａに示すように、ＳＦＩテーブルが系列長３を有するエントリ＃０を含み、図７Ｂに示すように、ＤＬ参照ＳＣＳがＵＬ参照ＳＣＳの２倍に設定され（ＤＬ参照スロット長がＵＬ参照スロット長の１／２倍に設定され）、ＳＦＩのモニタリング周期が２スロットに設定され、ＳＦＩのモニタリングオフセットが１スロットに設定されるとする。ＳＦＩのモニタリング機会は、ＤＬ参照スロット＃１の先頭であるが、ＵＬ参照スロット＃０の途中である。
【０１１５】
ＵＥは、複数スロットフォーマット設定方法に従って、ＳＦＩによって指示されたエントリのスロットフォーマットｘ０、ｘ１をＤＬ参照スロット＃１、＃２にそれぞれ設定する。更に、ＵＥは、ＳＦＩを受信したＤＬ参照スロット＃１の先頭から、ＵＬ参照ＳＣＳに基づくＵＬ参照スロット長を有する期間（ＤＬ参照スロット＃１、＃２に対応する期間）をＵＬ参照スロットとみなし、ＳＦＩによって指示されたエントリのスロットフォーマットｘ２を当該期間に適用する。
【０１１６】
例えば、図８Ａに示すように、ＳＦＩテーブルが系列長７を有するエントリ＃０を含み、図８Ｂに示すように、ＤＬ参照ＳＣＳがＵＬ参照ＳＣＳの２倍に設定され（ＤＬ参照スロット長がＵＬ参照スロット長の１／２倍に設定され）、ＳＦＩのモニタリング周期が５スロットに設定されるとする。ＳＦＩのモニタリング機会は、ＤＬ参照スロット＃５の先頭であるが、ＵＬ参照スロット＃２の途中である。
【０１１７】
ＵＥは、複数スロットフォーマット設定方法に従って、ＳＦＩによって指示されたエントリのスロットフォーマットｘ０、ｘ１、ｘ３、ｘ４、ｘ６をＤＬ参照スロット＃５、＃６、＃７、＃８、＃９にそれぞれ設定する。更に、ＵＥは、ＳＦＩを受信したＤＬ参照スロット＃５の先頭から、ＵＬ参照ＳＣＳに基づくＵＬ参照スロット長を有する期間（ＤＬ参照スロット＃５、＃６に対応する期間、ＤＬ参照スロット＃７、＃８に対応する期間）をＵＬ参照スロットとみなし、ＳＦＩによって指示されたエントリのスロットフォーマットｘ２、ｘ５を当該期間に適用する。
【０１１８】
＜オプション５−２＞
ＵＥは、ＳＦＩ指示の直前から始まる（ＳＦＩ指示前から続く）ＵＬ参照スロットを無視し、ＳＦＩ指示が次のスロット境界（次のＵＬ参照スロット）から始まると想定する。言い換えれば、ＵＥは、ＳＦＩ指示の直前から始まるＵＬ参照スロットにスロットフォーマットを設定しない。
【０１１９】
例えば、図９Ａに示すように、ＳＦＩテーブルが系列長７を有するエントリ＃０、＃１を含み、図９Ｂに示すように、ＤＬ参照ＳＣＳがＵＬ参照ＳＣＳの２倍に設定され（ＤＬ参照スロット長がＵＬ参照スロット長の１／２倍に設定され）、ＳＦＩのモニタリング周期が５スロットに設定されるとする。ＳＦＩのモニタリング機会は、ＤＬ参照スロット＃５の先頭であるが、ＵＬ参照スロット＃２の途中である。
【０１２０】
ＵＥは、複数スロットフォーマット設定方法に従って、ＳＦＩによって指示されたエントリのスロットフォーマットｘ０、ｘ１、ｘ２、ｘ３、ｘ４、ｘ５、ｘ６をＤＬ参照スロット＃０、＃１、ＵＬ参照スロット＃０、ＤＬ参照スロット＃２、＃３、ＵＬ参照スロット＃１、ＤＬ参照スロット＃４にそれぞれ設定する。更に、ＵＥは、ＤＬ参照スロット＃５においてＳＦＩを受信すると、ＳＦＩ受信タイミングを含むＵＬ参照スロット＃２にスロットフォーマットを設定せず（ＵＬ参照スロット＃２を無視し）、ＳＦＩ受信タイミングの次のＵＬ参照スロット＃３からＳＦＩを適用する。すなわち、ＵＥは、ＳＦＩによって指示されたエントリのスロットフォーマットｙ０、ｙ１、ｙ２、ｙ３、ｙ４、ｙ５、ｙ６をＤＬ参照スロット＃５、＃６、ＵＬ参照スロット＃３、ＤＬ参照スロット＃７、＃８、ＵＬ参照スロット＃４、ＤＬ参照スロット＃９にそれぞれ設定する。
【０１２１】
なお、ＵＥは、ＴＤＤ  非ＳＵＬ参照スロットにおいて受信するＳＦＩに基づいてＴＤＤ  ＳＵＬ参照スロットのスロットフォーマットを決定する場合にも、第５の態様を適用することができる。
【０１２２】
第５の態様によれば、ＤＬ参照ＳＣＳがＵＬ参照ＳＣＳよりも高い場合（非ＳＵＬ参照ＳＣＳがＳＵＬ参照ＳＣＳよりも高い場合）であっても、ＵＬキャリア又はＳＵＬキャリアのスロットフォーマットを適切に決定でき、問題３を防ぐことができる。ＵＥ及びネットワークがスロットフォーマットの認識を合わせることによって、性能劣化を防ぐことができる。
【０１２３】
（第６の態様）
第６の態様では、問題３に対するモニタリング機会の設定について説明する。ネットワークは、所定の条件に基づいて、ＳＦＩのモニタリング機会（モニタリング周期及び／又はモニタリングオフセット）をＵＥに設定してもよい。
【０１２４】
ＵＥは、ＳＦＩのモニタリング機会をＵＬ参照スロットのスロット境界に合わせてもよい。
【０１２５】
図１０は、ＤＬ参照ＳＣＳ及びＵＬ参照ＳＣＳの組み合わせに対し、サポートされるＳＦＩ（ＧＣ−ＰＤＣＣＨ）のモニタリング周期の一例を示す図である。
【０１２６】
ＤＬ参照ＳＣＳがＵＬ参照ＳＣＳ以下である場合、全てのモニタリング周期（｛１、２、４、５、８、１０、１６、２０｝スロットのモニタリング周期）がサポートされてもよい。
【０１２７】
ＤＬ参照ＳＣＳがＵＬ参照ＳＣＳよりも高い場合、サポートされるモニタリング周期は制限されてもよい。例えば、ＫはＤＬ参照ＳＣＳに対するＵＬ参照ＳＣＳの比（ＳＣＳ比）であり、サポートされるモニタリング周期は、Ｋスロットの倍数であってもよい。即ち、（モニタリング周期  ｍｏｄ  Ｋ）が０であってもよい。
【０１２８】
ＤＬ参照ＳＣＳがＵＬ参照ＳＣＳ以下である場合、サポートされるモニタリングオフセットが制限されてもよい。例えば、モニタリングオフセットが０から（モニタリング周期［スロット］−１）がサポートされてもよい。
【０１２９】
ＤＬ参照ＳＣＳがＵＬ参照ＳＣＳよりも高い場合、ＫはＤＬ参照ＳＣＳに対するＵＬ参照ＳＣＳの比（ＳＣＳ比）であり、サポートされるモニタリングオフセットは、０から（モニタリング周期［スロット］−１）、（但し、（モニタリングオフセット  ｍｏｄ  Ｋ）が０を満たす）がサポートされてもよい。
【０１３０】
なお、ＵＥは、ＴＤＤ  非ＳＵＬ参照スロットにおいて受信するＳＦＩに基づいてＴＤＤ  ＳＵＬ参照スロットのスロットフォーマットを決定する場合にも、第６の態様を適用することができる。
【０１３１】
第６の態様によれば、ＤＬ参照ＳＣＳがＵＬ参照ＳＣＳよりも高い場合（非ＳＵＬ参照ＳＣＳがＳＵＬ参照ＳＣＳよりも高い場合）であっても、ネットワーク（例えば、無線基地局、ｇＮＢ）が条件に基づいてＳＦＩのモニタリング機会をＵＥに設定することによって、問題３を防ぐことができる。すなわち、ＳＦＩのモニタリング機会が、ＤＬ参照スロット及びＵＬ参照スロット（又は非ＳＵＬ参照スロット及びＳＵＬ参照スロット）の両方の先頭になる。また、ＵＥ及びネットワークがスロットフォーマットの認識を合わせることによって、性能劣化を防ぐことができる。
【０１３２】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【０１３３】
図１１は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT）などと呼ばれても良い。
【０１３４】
この図に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間で異なるニューメロロジーが適用される構成としてもよい。なお、ニューメロロジーとは、サブキャリア間隔、シンボル長、サイクリックプリフィクス（ＣＰ）長、１伝送時間間隔（ＴＴＩ）あたりのシンボル数、ＴＴＩの時間長の少なくとも一つであってもよい。また、スロットは、ユーザ端末が適用するニューメロロジーに基づく時間単位であってもよい。スロットあたりのシンボル数は、サブキャリア間隔に応じて定められてもよい。
【０１３５】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１３６】
また、ユーザ端末２０は、各セル（キャリア）で、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成第２のタイプ）、ＦＤＤキャリア（フレーム構成第１のタイプ）等と呼ばれてもよい。
【０１３７】
また、各セル（キャリア）では、相対的に長い時間長（例えば、１ｍｓ）を有するスロット（ＴＴＩ、通常ＴＴＩ、ロングＴＴＩ、通常サブフレーム、ロングサブフレーム又はサブフレーム等ともいう）、及び／又は、相対的に短い時間長を有するスロット（ミニスロット、ショートＴＴＩ又はショートサブフレーム等ともいう）が適用されてもよい。また、各セルで、２以上の時間長のスロットが適用されてもよい。
【０１３８】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。また、ユーザ端末２０は、一以上のＢＷＰが設定されてもよい。ＢＷＰは、キャリアの少なくとも一部で構成される。
【０１３９】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１４０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１４１】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１４２】
各ユーザ端末２０は、ＬＴＥ、ＬＴＥ−Ａなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１４３】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。また、端末間通信に用いられるサイドリンク（ＳＬ）にＳＣ−ＦＤＭＡを適用できる。
【０１４４】
無線通信システム１では、ＤＬチャネルとして、各ユーザ端末２０で共有されるＤＬデータチャネル（ＰＤＳＣＨ：Physical  Downlink  Shared  Channel、ＤＬ共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ＤＬデータ（ユーザデータ、上位レイヤ制御情報、ＳＩＢ（System  Information  Block）などの少なくとも一つ）が伝送される。また、ＰＢＣＨにより、ＭＩＢ（Master  Information  Block）が伝送される。
【０１４５】
Ｌ１／Ｌ２制御チャネルは、ＤＬ制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨにより、ＰＵＳＣＨの送達確認情報（Ａ／Ｎ、ＨＡＲＱ−ＡＣＫ、ＨＡＲＱ−ＡＣＫビット又はＡ／Ｎコードブック等ともいう）を伝送できる。
【０１４６】
無線通信システム１では、ＵＬチャネルとして、各ユーザ端末２０で共有されるＵＬデータチャネル（ＰＵＳＣＨ：Physical  Uplink  Shared  Channel、ＵＬ共有チャネル等ともいう）、ＵＬ制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ＵＬデータ（ユーザデータ及び／又は上位レイヤ制御情報）が伝送される。ＰＤＳＣＨの送達確認情報（Ａ／Ｎ、ＨＡＲＱ−ＡＣＫ）チャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１４７】
＜無線基地局＞
図１２は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。無線基地局１０は、ＵＬにおいて「受信装置」を構成し、ＤＬにおいて「送信装置」を構成してもよい。
【０１４８】
下りリンクにより無線基地局１０からユーザ端末２０に送信されるユーザデータは、上位局装置３０から伝送路インターフェース１０６を介してベースバンド信号処理部１０４に入力される。
【０１４９】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の処理）、スケジューリング、伝送フォーマット選択、チャネル符号化、レートマッチング、スクランブリング、逆高速フーリエ変換（ＩＦＦＴ：Inverse  Fast  Fourier  Transform）処理及びプリコーディング処理の少なくとも一つなどの送信処理が行われて送受信部１０３に転送される。また、下り制御信号に関しても、チャネル符号化及び／又は逆高速フーリエ変換などの送信処理が行われて、送受信部１０３に転送される。
【０１５０】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１５１】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１５２】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１５３】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定、解放などの呼処理、無線基地局１０の状態管理、無線リソースの管理の少なくとも一つを行う。
【０１５４】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１５５】
また、送受信部１０３は、スロットフォーマットを指示する下り制御情報（スロットフォーマット通知用ＤＣＩ）を送信してもよい。また、送受信部１０３は、当該下り制御情報に含まれるＳＦＩフィールドと複数のスロットフォーマット候補との対応関係に関する情報（例えば、ＳＦＩテーブル）を上位レイヤシグナリングで通知してもよい。
【０１５６】
また、送受信部１０３は、ユーザ固有のＤＣＩ（例えば、データのスケジューリングに利用するＤＣＩ）にスロットフォーマットに関する情報（例えば、ＳＦＩ）を含めてＵＥに通知してもよい。
【０１５７】
送受信部２０３は、上位レイヤシグナリング（例えば、ＲＲＣシグナリング）によって、スロットフォーマットを示す情報（例えば、スロットフォーマットインデックス）の複数の系列（例えば、エントリ）を示す系列情報（例えば、ＳＦＩテーブル）を送信し、所定キャリア（例えば、ＦＤＤ  ＤＬキャリア、ＴＤＤ  非ＳＵＬキャリア）の下り制御チャネルにおいて、モニタリング周期に従って複数の系列の１つを示す指示情報（例えば、ＳＦＩ）を送信してもよい。
【０１５８】
図１３は、本実施の形態に係る無線基地局の機能構成の一例を示す図である。なお、この図は、本実施の形態における特徴部分の機能ブロックを主に示しており、無線基地局１０は、無線通信に必要な他の機能ブロックも有しているものとする。この図に示すように、ベースバンド信号処理部１０４は、制御部３０１と、送信信号生成部３０２と、マッピング部３０３と、受信信号処理部３０４と、測定部３０５とを備えている。
【０１５９】
制御部３０１は、無線基地局１０全体の制御を実施する。制御部３０１は、例えば、送信信号生成部３０２によるＤＬ信号の生成、マッピング部３０３によるＤＬ信号のマッピング、受信信号処理部３０４によるＵＬ信号の受信処理（例えば、復調など）及び測定部３０５による測定の少なくとも一つを制御する。また、制御部３０１は、データチャネル（ＤＬデータチャネル及び／又はＵＬデータチャネルを含む）のスケジューリングを制御してもよい。
【０１６０】
制御部３０１は、ＤＬデータチャネルのスケジューリング単位となる時間単位（例えば、スロット）におけるシンボル毎の伝送方向（ＵＬ、ＤＬ、又はフレキシブル）を制御してもよい。具体的には、制御部３０１は、スロット内のＤＬシンボル、ＵＬシンボル、又はフレキシブルシンボルを示すＳＦＩの生成及び／又は送信を制御してもよい。
【０１６１】
制御部３０１は、本発明に係る技術分野での共通認識に基づいて説明されるコントローラ、制御回路又は制御装置から構成することができる。
【０１６２】
送信信号生成部３０２は、制御部３０１からの指示に基づいて、ＤＬ信号（ＤＬデータ（チャネル）、ＤＣＩ、ＤＬ参照信号、上位レイヤシグナリングによる制御情報の少なくとも一つを含む）を生成して、マッピング部３０３に出力してもよい。
【０１６３】
送信信号生成部３０２は、本発明に係る技術分野での共通認識に基づいて説明される信号生成器、信号生成回路又は信号生成装置とすることができる。
【０１６４】
マッピング部３０３は、制御部３０１からの指示に基づいて、送信信号生成部３０２で生成されたＤＬ信号を、所定の無線リソースにマッピングして、送受信部１０３に出力する。例えば、マッピング部３０３は、制御部３０１によって決定される配置パターンを用いて、参照信号を所定の無線リソースにマッピングする。
【０１６５】
マッピング部３０３は、本発明に係る技術分野での共通認識に基づいて説明されるマッパー、マッピング回路又はマッピング装置とすることができる。
【０１６６】
受信信号処理部３０４は、ユーザ端末２０から送信されるＵＬ信号の受信処理（例えば、デマッピング、復調及び復号の少なくとも一つなど）を行う。具体的には、受信信号処理部３０４は、受信信号及び／又は受信処理後の信号を、測定部３０５に出力してもよい。
【０１６７】
受信信号処理部３０４は、本発明に係る技術分野での共通認識に基づいて説明される信号処理器、信号処理回路又は信号処理装置から構成することができる。また、受信信号処理部３０４は、本発明に係る受信部を構成することができる。
【０１６８】
測定部３０５は、例えば、参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１６９】
＜ユーザ端末＞
図１４は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。ユーザ端末２０は、ＵＬにおいて「送信装置」を構成し、ＤＬにおいて「受信装置」を構成してもよい。
【０１７０】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１７１】
ベースバンド信号処理部２０４は、入力されたベースバンド信号に対して、ＦＦＴ処理、誤り訂正復号、再送制御の受信処理などの少なくとも一つを行う。ＤＬデータは、アプリケーション部２０５に転送される。アプリケーション部２０５は、物理レイヤ及びＭＡＣレイヤより上位のレイヤに関する処理などを行う。
【０１７２】
一方、ＵＬデータについては、アプリケーション部２０５からベースバンド信号処理部２０４に入力される。ベースバンド信号処理部２０４では、再送制御処理（例えば、ＨＡＲＱの処理）、チャネル符号化、レートマッチング、パンクチャ、離散フーリエ変換（ＤＦＴ：Discrete  Fourier  Transform）処理、ＩＦＦＴ処理などの少なくとも一つが行われて各送受信部２０３に転送される。ＵＣＩ（例えば、ＤＬ信号のＡ／Ｎ、チャネル状態情報（ＣＳＩ）、スケジューリング要求（ＳＲ）の少なくとも一つなど）についても、チャネル符号化、レートマッチング、パンクチャ、ＤＦＴ処理及びＩＦＦＴ処理などの少なくとも一つが行われて各送受信部２０３に転送される。
【０１７３】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１７４】
また、送受信部２０３は、スロットフォーマットを指示する下り制御情報（スロットフォーマット通知用ＤＣＩ）を受信する。また、送受信部２０３は、当該下り制御情報に含まれるＳＦＩフィールドと複数のスロットフォーマット候補との対応関係に関する情報（例えば、ＳＦＩテーブル）を上位レイヤシグナリングで受信してもよい。
【０１７５】
また、送受信部２０３は、スロットフォーマットに関する情報を含むユーザ固有のＤＣＩ（例えば、データのスケジューリングに利用するＤＣＩ）を用いて、上位レイヤシグナリングで通知されるＵＬ−ＤＬ構成に関する情報（例えば、ＳＦＩ）等を受信してもよい。
【０１７６】
また、送受信部２０３は、上位レイヤシグナリング（例えば、ＲＲＣシグナリング）によって、スロットフォーマットを示す情報（例えば、スロットフォーマットインデックス）の複数の系列（例えば、エントリ）を示す系列情報（例えば、ＳＦＩテーブル）を受信し、所定キャリア（例えば、ＦＤＤ  ＤＬキャリア、ＴＤＤ  非ＳＵＬキャリア）の下り制御チャネルにおいて、モニタリング周期に従って複数の系列の１つを示す指示情報（例えば、ＳＦＩ）を受信してもよい。
【０１７７】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１７８】
図１５は、本実施の形態に係るユーザ端末の機能構成の一例を示す図である。なお、この図においては、本実施の形態における特徴部分の機能ブロックを主に示しており、ユーザ端末２０は、無線通信に必要な他の機能ブロックも有しているものとする。この図に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１７９】
制御部４０１は、ユーザ端末２０全体の制御を実施する。制御部４０１は、例えば、送信信号生成部４０２によるＵＬ信号の生成、マッピング部４０３によるＵＬ信号のマッピング、受信信号処理部４０４によるＤＬ信号の受信処理及び測定部４０５による測定の少なくとも一つを制御する。
【０１８０】
具体的には、制御部４０１は、ＤＬ制御チャネルをモニタリング（ブラインド復号）、及び、ユーザ端末２０に対するＤＣＩ（グループ共通ＤＣＩ及び／又はＵＥ固有ＤＣＩを含む）の検出を制御してもよい。例えば、制御部４０１は、ユーザ端末２０に設定される一以上の制御リソースセットをモニタリングしてもよい。
【０１８１】
また、制御部４０１は、データチャネルのスケジューリング単位となる時間単位（例えば、スロット）におけるシンボル毎の伝送方向を所定情報に基づいて制御してもよい。
【０１８２】
また、制御部４０１は、指示情報に指示された系列の長さが、モニタリング周期内の所定キャリア（例えば、ＦＤＤ  ＤＬキャリア、ＴＤＤ  非ＳＵＬキャリア）及び上りリンク用キャリア（例えば、ＦＤＤ  ＵＬキャリア、ＴＤＤ  ＳＵＬキャリア）のスロットの数と異なる場合と、所定キャリアに設定されたサブキャリア間隔（例えば、ＤＬ参照ＳＣＳ、非ＳＵＬ参照ＳＣＳ）が上りリンク用キャリアに設定されたサブキャリア間隔（例えば、ＵＬ参照ＳＣＳ、ＳＵＬ参照ＳＣＳ）と異なる場合と、の少なくとも１つにおいて、系列情報及び指示情報に基づいて所定キャリア及び上りリンク用キャリアのスロットフォーマットを決定してもよい。
【０１８３】
また、指示情報に指示された系列の長さ（例えば、エントリ長）が、モニタリング周期内の所定キャリア及び上りリンク用キャリアのスロットの数（例えば、対象スロット数）よりも少ない場合、制御部４０１は、モニタリング周期内のスロットのうち指示情報によって指示されない特定スロットのスロットフォーマットを、特定スロットのスペクトラムタイプ（例えば、ＦＤＤ  ＤＬ、ＦＤＤ  ＵＬ、ＴＤＤ  非ＳＵＬ、ＴＤＤ  ＳＵＬの１つ）と、上位レイヤシグナリング（例えば、ＲＲＣシグナリング）と、特定スロットの下り制御情報と、の少なくとも１つに基づいて決定してもよい（第１の態様）。
【０１８４】
また、指示情報に指示された系列の長さが、モニタリング周期内の前記所定キャリア及び上りリンク用キャリアのスロットの数よりも多い場合、制御部４０１は、最後に受信された指示情報と直前に受信された指示情報とによって重複して指示されるスロットのスロットフォーマットを、最後に受信された指示情報と直前に受信された指示情報との少なくとも１つに基づいて決定してもよい（第３の態様）。
【０１８５】
また、所定キャリアに設定された第１サブキャリア間隔（例えば、ＤＬ参照ＳＣＳ又は非ＳＵＬ参照ＳＣＳ）が、上りリンク用キャリアに設定された第２サブキャリア間隔（例えば、ＵＬ参照ＳＣＳ又はＳＵＬ参照ＳＣＳ）よりも大きい場合、制御部４０１は、上りリンク用キャリアにおいて指示情報を適用する期間（ＵＬ参照ＳＣＳ又はＳＵＬ参照ＳＣＳに基づく期間、又はＳＦＩ受信タイミングよりも後のＵＬ参照スロット又はＳＵＬ参照スロット）を決定してもよい（第５の態様）。
【０１８６】
また、所定キャリアに設定された第１サブキャリア間隔が、上りリンク用キャリアに設定された第２サブキャリア間隔よりも大きい場合、前記指示情報のモニタリング周期は、前記第２サブキャリア間隔に対する前記第１サブキャリア間隔の比（例えば、Ｋ）の倍数であってもよい（第６の態様）。
【０１８７】
制御部４０１は、本発明に係る技術分野での共通認識に基づいて説明されるコントローラ、制御回路又は制御装置から構成することができる。
【０１８８】
送信信号生成部４０２は、制御部４０１からの指示に基づいて、ＵＬ信号、ＤＬ信号の再送制御情報を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１８９】
マッピング部４０３は、制御部４０１からの指示に基づいて、送信信号生成部４０２で生成されたＵＬ信号、ＤＬ信号の再送制御情報を無線リソースにマッピングして、送受信部２０３へ出力する。例えば、マッピング部４０３は、制御部４０１によって決定される配置パターンを用いて、参照信号を所定の無線リソースにマッピングする。
【０１９０】
マッピング部４０３は、本発明に係る技術分野での共通認識に基づいて説明されるマッパー、マッピング回路又はマッピング装置とすることができる。
【０１９１】
受信信号処理部４０４は、ＤＬ信号の受信処理（例えば、デマッピング、復調及び復号の少なくとも一つなど）を行う。例えば、受信信号処理部４０４は、制御部４０１によって決定される配置パターンの参照信号を用いて、ＤＬデータチャネルを復調してもよい。
【０１９２】
また、受信信号処理部４０４は、受信信号及び／又は受信処理後の信号を、制御部４０１及び／又は測定部４０５に出力してもよい。受信信号処理部４０４は、例えば、上位レイヤシグナリングによる上位レイヤ制御情報、Ｌ１／Ｌ２制御情報（例えば、ＵＬグラント及び／又はＤＬアサインメント）などを、制御部４０１に出力する。
【０１９３】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１９４】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１９５】
測定部４０５は、本発明に係る技術分野での共通認識に基づいて説明される信号処理器、信号処理回路又は信号処理装置、並びに、測定器、測定回路又は測定装置から構成することができる。
【０１９６】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１９７】
例えば、本実施の形態における無線基地局、ユーザ端末などは、本発明の無線通信方法の処理を行うコンピュータとして機能してもよい。図１６は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９８】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１９９】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０２００】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び書き込みの少なくとも一つを制御することで実現される。
【０２０１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０２０２】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０２０３】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２０４】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０２０５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０２０６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０７】
また、この図に示す各装置は、情報を通信するためのバス１００７で接続される。バス１００７は、単一のバスで構成されてもよいし、装置間で異なるバスで構成されてもよい。
【０２０８】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０２０９】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２１０】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０２１１】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において一つ又は複数のシンボルで構成されてもよい。
【０２１２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０２１３】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅及び／又は送信電力など）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリング及び／又はリンクアダプテーションなどの処理単位となってもよい。なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１４】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、又はショートサブフレームなどと呼ばれてもよい。
【０２１５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０２１６】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０２１７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボルの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１８】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０２１９】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０２２０】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２１】
また、情報、信号などは、上位レイヤから下位レイヤ、及び／又は下位レイヤから上位レイヤへ出力され得る。情報、信号などは、複数のネットワークノードを介して入出力されてもよい。
【０２２２】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０２２３】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２２５】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０２２６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２２９】
本明細書で使用する「システム」及び「ネットワーク」という用語は、互換的に使用される。
【０２３０】
本明細書では、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２３１】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２３２】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。
【０２３３】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３４】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び／又は「下り」は、「サイド」と読み替えられてもよい。例えば、上りチャネルは、サイドチャネルと読み替えられてもよい。
【０２３５】
同様に、本明細書におけるユーザ端末は、無線基地局で読み替えてもよい。この場合、上述のユーザ端末２０が有する機能を無線基地局１０が有する構成としてもよい。
【０２３６】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３７】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２３８】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２３９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４０】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２４１】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４２】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２４３】
本明細書又は請求の範囲で「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２４４】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2019159238.tif 000003
【図２】
2019159238.tif 000004
【図３】
2019159238.tif 000005
【図４】
2019159238.tif 000006
【図５】
2019159238.tif 000007
【図６】
2019159238.tif 000008
【図７】
2019159238.tif 000009
【図８】
2019159238.tif 000010
【図９】
2019159238.tif 000011
【図１０】
2019159238.tif 000012
【図１１】
2019159238.tif 000013
【図１２】
2019159238.tif 000014
【図１３】
2019159238.tif 000015
【図１４】
2019159238.tif 000016
【図１５】
2019159238.tif 000017
【図１６】
2019159238.tif 000018
【国際調査報告】
2019159238.tif 000019
2019159238.tif 000020
2019159238.tif 000021
2019159238.tif 000022